【手続補正書】
【提出日】平成16年2月18日(2004.2.18)
【手続補正１】
【補正対象書類名】明細書
【補正対象項目名】００１０
【補正方法】変更
【補正の内容】
【００１０】
【課題を解決するための手段】
すなわち、本発明の第一の態様は、図１及び図２に示すように、画像情報に応じたトナー画像Ｔが形成担持される像担持体１と、前記像担持体１上のトナー画像Ｔを転写材２上に転写する一括転写手段３とを備え、この一括転写手段３には、少なくとも前記像担持体１表面に接触配置されて一括転写位置が形成される接触転写部材４ａを有する一括転写部材４と、当該一括転写部材４を介して前記像担持体１上のトナー画像Ｔを転写材２に転写する正規転写バイアス及び前記転写バイアスとは逆極性の逆転写バイアスを印加するバイアス印加手段５と、前記バイアス印加手段５による印加バイアスの極性を切り替えるバイアス切替手段６とを具備させた画像形成装置において、前記バイアス切替手段６は、少なくとも、前記一括転写位置において前記像担持体１と前記転写材２とが対向する転写材対向領域ａのうち転写すべきトナー画像Ｔを担持可能な転写画像対向領域ａ2が前記一括転写手段３を通過する間は前記バイアス印加手段５による印加バイアスを正規転写バイアスに設定し、且つ、前記転写材対向領域ａのうち前記像担持体１の移動方向下流側後端部であって転写すべきトナー画像Ｔを担持しない下流側転写画像非対向領域ａ3が前記一括転写手段３を通過する間に前記印加バイアスの正規転写バイアスから逆転写バイアスへの切り替えを開始することを特徴とするものである。


【手続補正２】
【補正対象書類名】明細書
【補正対象項目名】００１５
【補正方法】変更
【補正の内容】
【００１５】
また、本発明の第一の態様において、バイアス切替手段６による印加バイアスの切り替え開始タイミングについては、下流側転写画像非対向領域ａ3内より適宜選定して差し支えないが、接触転写部材４ａへの画質調整用画像等の転移を有効に防止するという観点からすれば、前記下流側転写画像非対向領域ａ3が前記一括転写手段３に到達した時点で前記印加バイアスの正規転写バイアスから逆転写バイアスへの切り替えを開始することが好ましい。


【手続補正３】
【補正対象書類名】明細書
【補正対象項目名】００１６
【補正方法】変更
【補正の内容】
【００１６】
上記の態様において、前記バイアス切替手段６による印加バイアスの切り替え終了タイミングについては、前記接触転写部材４ａへの画質調整用画像等の転移を防止できる範囲であれば適宜選定して差し支えないが、接触転写部材４ａへの画質調整用画像等の転移を確実に防止するという観点からすれば、前記下流側転写画像非対向領域ａ3が前記一括転写手段３を通過する間に印加バイアスの切り替えを終了させることが好ましい。


【手続補正４】
【補正対象書類名】明細書
【補正対象項目名】００１７
【補正方法】変更
【補正の内容】
【００１７】
ここで、下流側転写画像非対向領域ａ3は、通常、転写材２の後端部側でトナー画像Ｔが転写されることのない所謂マージン部に対応する領域をいう。
但し、例えば、転写材２の後端部側に前記マージン部と連続的に余白部が形成されるような態様にあっては、当該余白部と前記マージン部とを合わせた領域に対応する領域を下流側転写画像非対向領域ａ3としてもよい。


【手続補正５】
【補正対象書類名】明細書
【補正対象項目名】００１８
【補正方法】変更
【補正の内容】
【００１８】
また、本発明の第二の態様において、バイアス切替手段６による印加バイアスの切り替え開始タイミングについては、前記上流側転写画像非対向領域ａ1内より適宜選定して差し支えないが、次の転写材対向領域ａ内の転写画像対向領域ａ2に対する正規転写バイアスの印加が不十分となるのを有効に防止するという観点からすれば、前記上流側転写画像非対向領域ａ1が前記一括転写手段３に到達した時点で前記印加バイアスの逆転写バイアスから正規転写バイアスへの切り替えを開始することが好ましい。


【手続補正６】
【補正対象書類名】明細書
【補正対象項目名】００１９
【補正方法】変更
【補正の内容】
【００１９】
上記の態様において、前記バイアス切替手段６による印加バイアスの切り替え終了タイミングについては、次の転写材対向領域ａ内の転写画像対向領域ａ2に対する正規転写バイアスの印加が不十分となるのを防止できる範囲であれば適宜選定して差し支えないが、次の転写材対向領域ａ内の転写画像対向領域ａ2に対する正規転写バイアスの印加が不十分となるのを確実に防止するという観点からすれば、前記上流側転写画像非対向領域ａ1が前記一括転写手段３を通過する間に印加バイアスの切り替えを終了させることが好ましい。


【手続補正７】
【補正対象書類名】明細書
【補正対象項目名】００２０
【補正方法】変更
【補正の内容】
【００２０】
ここで、上流側転写画像非対向領域ａ1は、通常、転写材２の先端部側でトナー画像Ｔが転写されることのない所謂マージン部に対応する領域をいう。
但し、例えば、転写材２の先端部側に前記マージン部と連続的に余白部が形成されるような態様にあっては、当該余白部と前記マージン部とを合わせた領域に対応する領域を上流側転写画像非対向領域ａ1としてもよい。


【手続補正８】
【補正対象書類名】明細書
【補正対象項目名】００３０
【補正方法】変更
【補正の内容】
【００３０】
また、二次転写ロール１２５は、表面にカーボン分散したウレタンゴムのチューブ、内部はカーボンを分散した発泡ウレタンゴムからなり、その電気伝導が電子伝導によって行われるものを用い、その体積抵抗率は１０3〜１０10Ω・ｃｍでロール径はφ２８ｍｍとなるように形成され、硬度は２０゜から４５゜（アスカＣ）でよく、例えば３０°（アスカＣ）に設定される。
【手続補正９】
【補正対象書類名】明細書
【補正対象項目名】００４１
【補正方法】変更
【補正の内容】
【００４１】
また、図５に示すように、中間転写ベルト１２０は、用紙Ｐが接触する用紙対向領域ａと、用紙Ｐが接触しない用紙非対向領域ｂとに二分割される。
そして、前記用紙対向領域ａについては、中間転写ベルト１２０の回動方向先端部であってトナー像が転写されることのない先端マージン部ａ1（上流側転写画像非対向領域に対応）と、当該用紙対向領域の中央部であってトナー像が転写される転写画像対向領域ａ2と、この転写画像対向領域ａ2の下流側であってトナー像が転写されることがない後端マージン部ａ3（下流側転写画像非対向領域に対応）とに三分割される。


【手続補正１０】
【補正対象書類名】明細書
【補正対象項目名】００４６
【補正方法】変更
【補正の内容】
【００４６】
その後、転写画像対向領域ａ2が二次転写部を通過する間は、正規転写バイアス電源１８１がオンとなり、正規転写バイアスが印加され用紙Ｐ上に画像が転写される。


【手続補正１１】
【補正対象書類名】明細書
【補正対象項目名】００４７
【補正方法】変更
【補正の内容】
【００４７】
本実施の形態では、中間転写ベルト１２０上の用紙Ｐの先端マージン部ａ1及び後端マージン部ａ3に対応する領域が二次転写部を通過する間に転写バイアスを切り替えるようにしたので、中間転写ベルト１２０上の転写画像対向領域ａ2全域に対して正規転写バイアスを印加することができるため用紙Ｐ上への画像の転写を確実に行うことができると共に、中間転写ベルト１２０上の用紙非対向領域ｂ全域に対して逆転写バイアスを印加することができるため二次転写ロール１２５への画質調整用画像の転移及びこれに伴う次の用紙Ｐの裏面汚れを防止することができる。


【手続補正１２】
【補正対象書類名】明細書
【補正対象項目名】００５２
【補正方法】変更
【補正の内容】
【００５２】
また、本実施の形態では、図７に示すように、中間転写ベルト１２０は、用紙Ｐが接触する用紙対向領域ａと、用紙Ｐが接触しない用紙非対向領域ｂとに二分割される。
そして、前記用紙対向領域ａについては、実施の形態１と同様に、中間転写ベルト１２０の回動方向先頭部であってトナー像が転写されることのない先端マージン部（上流側転写画像非対向領域に対応）ａ1と、当該用紙対向領域の中央部であってトナー像が転写される転写画像対向領域ａ2と、この転写画像対向領域ａ2の下流側であってトナー像が転写されることがない後端マージン部（下流側転写画像非対向領域に対応）ａ3とに三分割される。
一方、用紙非対向領域ｂについては、画質調整用画像が形成されない空白領域ｂ1と、画質調整画像が形成される画質調整用画像形成領域ｂ2とに分割される。


【手続補正１３】
【補正対象書類名】明細書
【補正対象項目名】００５４
【補正方法】変更
【補正の内容】
【００５４】
尚、本実施の形態では、後端マージン部ａ3が二次転写部を通過する間に転写バイアスを正規転写バイアスから逆転写バイアスに切り替え、用紙非対向領域ｂ全域に対して逆転写バイアスを印加するようにしていたが、これに限られるものではなく、例えば図７中に一点鎖線ｄで示すように、画質調整用画像が形成されていない空白領域ｂ1を通過する間に転写バイアスを切り替えるようにしても良い。このように設定した場合にも、画質調整用画像が二次転写ロール１２５に転移するという事態は回避することは可能である。